(57)【要約】【課題】豆炭コタツの天板構造を折り畳み可能に構成することによって、コンパクトに折り畳んだ状態で収納、保管又は運搬することができ、しかも軽量であって容易に組み立てることが可能であり、さらには使用上の安全性をも確保した折り畳み式豆炭コタツを提供する。【解決手段】やぐら用天板２の片面に固定した十字形桟材３をやぐら用天板２と共に面内の中央で分割して折り畳み可能に枢着してなるやぐら本体４と、十字形桟材３の各端部の下側に着脱自在に固定する脚部材５と、やぐら本体４を展開した状態で十字形桟材３の下側に着脱自在に固定する豆炭用の燃焼器６と、板材を面内の中央で分割して折り畳み可能に枢着してなるコタツ用天板７とを有し、やぐら本体４を展開した状態で、各脚部材５と燃焼器６とを所定箇所に固定した後、やぐら本体４の上部にコタツ掛け布団１５を掛け、このコタツ掛け布団の上部に展開したコタツ用天板７を載置するようにした。【選択図】図１
2009192106.tif 000002
【特許請求の範囲】
【請求項１】
やぐら用天板の片面に固定した十字形桟材をやぐら用天板と共に面内の中央で分割して折り畳み可能に枢着してなるやぐら本体と、十字形桟材の各端部の下側に着脱自在に固定する脚部材と、やぐら本体を展開した状態で十字形桟材の下側中央に着脱自在に固定する豆炭用の燃焼器と、板材を面内の中央で分割して折り畳み可能に枢着してなるコタツ用天板とを有し、やぐら本体を展開した状態で、各脚部材と燃焼器とを所定箇所に固定した後、やぐら本体の上部にコタツ掛け布団を掛け、このコタツ掛け布団の上部に展開したコタツ用天板を載置するようにしたことを特徴とする折畳み式豆炭コタツ。
【請求項２】
やぐら本体は、分割されたやぐら用天板を突合せて複数の蝶番で結合することにより、折り畳み可能とされたことを特徴とする請求項１記載の折畳み式豆炭コタツ。
【請求項３】
脚部材は、該脚部材の上端にネジ棒を埋め込むと共に、ネジ棒を十字形桟材の各端部の下側に固定した埋込みナットにねじ込むことによって着脱自在に固定可能とされたことを特徴とする請求項１又は２記載の折畳み式豆炭コタツ。
【請求項４】
燃焼器は、やぐら本体を展開した状態で十字形桟材の下側に固定された埋込みナットに対して燃焼器の周辺をボルトで締結したことによって着脱自在に固定可能とされたことを特徴とする請求項１、２又は３記載の折畳み式豆炭コタツ。
【請求項５】
やぐら本体を展開した状態で十字形桟材の下側中央に燃焼器を取付ける際、十字形桟材に枠板を介して燃焼器を固定するようにしたことを特徴とする請求項１、２、３又は４記載の折畳み式豆炭コタツ。
【発明の詳細な説明】
【技術分野】
【０００１】
本発明は、やぐらコタツの熱源として豆炭を用いた豆炭コタツであって、コンパクトに折り畳むことができる折畳み式豆炭コタツに関する。
【背景技術】
【０００２】
従来から普及しているやぐらコタツとしては、天板の下部に電気式ヒーターユニットを備えた電気コタツが知られている。ところが、被災地等においては、電源の供給が不安定であり、停電時又は電源のない所でも使用可能な暖房器具として、豆炭コタツが有用なものとなる。この豆炭コタツは、暖房費が電気コタツの約半分であるというように経済的に有利であるほか、電気コードがないため、扉等の開閉の邪魔になることがなく、また電気コードに足を引掛けて転倒することもなく、安全性の面でも有利な暖房器具である。
【０００３】
この豆炭コタツの構造は、やぐら用天板の四方隅部に脚部材をネジ等で固定する一方、天板の下部面内の中央に燃焼器が固定され、使用時に、着火した豆炭を燃焼器中具に収容すると共に、この燃焼器中具を燃焼器の内部に収納するものとされている。
【０００４】
ところで、このような豆炭コタツを被災地等で手軽に使用する際、運搬に便利で、保管の際にもスペースをとらないように、できるだけコンパクトな構造とするのが望ましいが、ただし、このような豆炭コタツは、豆炭を着火状態で使用するため、使用時の安全性も確保する必要がある。
【０００５】
そこで、豆炭コタツに関する従来技術を調査したところ、豆炭コタツに関する特許文献は見出し難いものであった。一方、電気コタツの分野においては、例えば特許文献１に組立式やぐらコタツについて開示されている。この組立式やぐらコタツは、従来の天板と脚部が木製であるため、強度的に弱く、特に天板と脚部との接合部が壊れやすいという事情に基づいてなされたもので、これを解消するために、天板と脚部とを金属製で構成することによって、その接合部を強化する構造としたものである。
【０００６】
ところが、その構造は、やぐら用天板の四周をチャンネル材の端部同士を螺着することによって組み立てられる金属枠と、各チャンネル材の端部を嵌合することにより金属枠の隅角部に組付けられる中空金属パイプからなる脚部と、各チャンネル材の面内の中央部にて嵌合される十字形の交差部にネジで固定される金属製桟と、各桟の交差下部にネジで固定されるヒータユニットとからなるものである。
【０００７】
従って、このような従来の組立式やぐらコタツは、組み立て方法が非常に厄介であり、手軽に組み立てて収納したり、運搬したりするという被災地での使用には不向きである。しかも、上記の組立式やぐらコタツの主構成である天板と脚部とを金属製にすると、やぐらコタツの大部分が金属製の構造となり、重量が大になるほか、価格的にも高価になるという不都合が生じる。また、天板と脚部とを金属製にすると、暖房の初期の段階では人の足が触れたときに冷たい感触が伝わり、また暖房時間が経過した後は、金属製部分が熱を持って火傷の原因ともなるため、使用上の問題からも、やぐらコタツの天板と脚部は、従来通り、なるべく木製とするのが望ましい。
【０００８】
【特許文献１】実公昭６３−４７７６５号公報
【発明の開示】
【発明が解決しようとする課題】
【０００９】
本発明は、以上の事情を考慮してなされたもので、豆炭コタツの天板構造を折り畳み可能に構成することによって、コンパクトに折り畳んだ状態で収納、保管又は運搬することができ、しかも軽量であって容易に組み立てることが可能であり、さらには使用上の安全性をも確保することができる折り畳み式豆炭コタツを提供することを目的とする。
【課題を解決するための手段】
【００１０】
上記の問題を解決するために、本発明における請求項１の折畳み式豆炭コタツは、やぐら用天板の片面に固定した十字形桟材をやぐら用天板と共に面内の中央で分割して折り畳み可能に枢着してなるやぐら本体と、十字形桟材の各端部の下側に着脱自在に固定する脚部材と、やぐら本体を展開した状態で十字形桟材の下側中央に着脱自在に固定する豆炭用の燃焼器と、板材を面内の中央で分割して折り畳み可能に枢着してなるコタツ用天板とを有し、やぐら本体を展開した状態で、各脚部材と燃焼器とを所定箇所に固定した後、やぐら本体の上部にコタツ掛け布団を掛け、このコタツ掛け布団の上部に展開したコタツ用天板を載置するようにしたことを特徴とする。
【００１１】
また、本発明の請求項２の折畳み式豆炭コタツは、請求項１において、やぐら本体は、分割されたやぐら用天板の突合せ同士を複数の蝶番で結合することによって折り畳み可能とされたことを特徴とする。
【００１２】
また、本発明の請求項３の折畳み式豆炭コタツは、請求項１又は２において、脚部材は、該脚部材の上端にネジ棒を埋め込むと共に、ネジ棒を十字形桟材の各端部の下側に固定した埋込みナットにねじ込むことによって着脱自在に固定可能とされたことを特徴とする。
【００１３】
また、本発明の請求項４の折畳み式豆炭コタツは、請求項１、２又は３において、燃焼器は、やぐら本体を展開した状態で十字形桟材の下側に固定された埋込みナットに対して燃焼器の周辺をボルトで締結したことによって着脱自在に固定可能とされたことを特徴とする。
【００１４】
さらに、本発明の請求項５の折畳み式豆炭コタツは、請求項１、２、３又は４において、やぐら本体を展開した状態で十字形桟材の下側中央に燃焼器を取付ける際、十字形桟材に枠板を介して燃焼器を固定するようにしたことを特徴とする。
【発明の効果】
【００１５】
本発明の折畳み式豆炭コタツによれば、燃焼器を取付けるやぐら本体とコタツ掛け布団の上に載置するコタツ用天板とが折畳み可能であるため、これらのやぐら本体とコタツ用天板とを折畳むと、夫々略半分の面積に縮小することができ、豆炭コタツ全体をコンパクトに縮小した状態で収納、保管又は運搬することが可能となる。
【００１６】
また、本発明によれば、やぐら本体の構造がやぐら用天板の片面に十字形桟材を固定しただけの必要最小限の部材による構造であるため、やぐら本体を軽量に構成することができる。しかも、やぐら本体を展開した状態でやぐら本体の下側中央に枠板を介して燃焼器を固定することにより、やぐら本体は展開された平面形状を固定状態に保持することが可能となる。
【００１７】
さらに、やぐら用天板の片面に固定した十字形桟材は、やぐら用天板に上方から作用する面方向の圧力に抵抗し得る補強材としての役割を果たすほか、脚部材の支持材としての役割を果たすこととなり、上記のように本発明の折畳み式豆炭コタツを構成する各部材が互いに共働し合い、軽量かつ簡単な最小限の部材で、折畳み可能なコタツ構造を実現することが可能となる。
【００１８】
よって、本発明による折畳み式豆炭コタツは、コタツ全体の構造をコンパクトに折畳んだ状態に縮小して、収納、保管又は運搬することができるため、平常時においては、豆炭の使用によって経済的な暖房器具となり、災害時等においては、電源の不要な暖房器具として被災者等の救護に大いに有用なものとなる。
【発明を実施するための最良の形態】
【００１９】
以下、本発明の実施例について図面を参照しながら説明する。
【実施例１】
【００２０】
本実施例の折畳み式豆炭コタツ１の主要な構成部材としては、図１に示すように、やぐら用天板２の片面に固定した十字形桟材３をやぐら用天板２と共に面内の中央で分割して折り畳み可能に枢着してなるやぐら本体４と、十字形桟材３の各端部の下側に着脱自在に固定する脚部材５、５…と、やぐら本体４を展開した状態で十字形桟材３の下側中央に着脱自在に固定する豆炭用の燃焼器６と、板材を面内の中央で分割して折り畳み可能に枢着してなるコタツ用天板７とを有するものである。
【００２１】
上記の構成からなる本実施例の折畳み式豆炭コタツ１について詳細に述べる。なお、下記の説明において、図２（ａ）はやぐら本体４を折り畳んだ状態を示す裏面図であり、図２（ｂ）はやぐら本体４を折り畳んだ状態を示す側面図であり、図２（ｃ）はやぐら本体４の展開状態を示す裏面図である。また、図２（ｄ）は４本の脚部材５の側面図である。
【００２２】
これらの図２（ａ）〜（ｃ）に示すように、やぐら本体４は、四角形平面のやぐら用天板２と十字形に構成した十字形桟材３とからなり、十字形桟材３の各桟材３ａ、３ｂ、３ｃ、３ｄがやぐら用天板２の四方の角部を向くように接着材等で固定されている。ただし、十字形桟材３は各桟材３ａ、３ｂ、３ｃ、３ｄの端部がやぐら用天板２の角部から短尺だけ突出する長さを有し、夫々の桟材３ａ、３ｂ、３ｃ、３ｄの各端部の下側に埋込みナット８Ａ、８Ａ…が埋め込まれ、これらの埋込みナット８Ａ、８Ａ…に対して、図２（ｄ）に示す脚部材５、５…のネジ棒５ａ、５ａ…を締結するようにしている。
【００２３】
また、図２(ｃ)に示すように、十字形桟材３の中央の四方には、後述する豆炭用燃焼器６の周辺に設けられた複数のネジ穴６ａ、６ａ…（図３（ｃ）参照）の形成位置に対応する箇所に埋込みナット８Ｂ、８Ｂ…が埋め込まれ、これらの埋込みナット８Ｂ、８Ｂ…にボルト９、９…（図３（ｃ）参照）を締め付けることにより、豆炭用燃焼器６を着脱自在に取付け可能な構成としている。
【００２４】
なお、上記の十字形桟材３は桐材等の軽量角材を使用し、またやぐら用天板２はパルプボード又はベニア板、その他適宜の材料を使用するとよい。
【００２５】
さらに、上記のやぐら本体４は十字形桟材３をやぐら用天板２と共に面内の中央で分割して折り畳み可能に枢着した構成とされている。即ち、図２(ｃ)に示すように、十字形桟材３の中央の交差箇所でやぐら用天板２と共に左右に分割し、このように分割されたやぐら用天板２ａ、２ｂを突合せて複数の蝶番１０、１０…で結合することによって、図２(ｂ)に示すように折り畳み可能な構成とされている。このような構成によって、やぐら本体４は、図２(ｃ)に示す展開状態から折り畳むことによって、図２（ａ）に示すように半分の面積に縮小する。
【００２６】
また、図１に示すコタツ用天板７は、上記のやぐら用天板２と略同様の面積であって例えば１ｃｍ程度の厚さを有する桐等による軽量板材又は化粧合板等を用い、そのように分割されたコタツ用天板７ａ、７ｂを面内の中央で分割して突合せ箇所を複数の蝶番１１、１１…で結合することによって折り畳み可能としたものである。このような構成により、コタツ用天板７もまたやぐら用天板２と同様に折畳み可能であって、折り畳んだ状態では半分の面積に縮小する。
【００２７】
さらに、本実施例においては、図１に示すように、上記の十字形桟材３の各端部の下側に脚部材５、５…が着脱自在に固定されている。この脚部材５は桐等の軽量木材を円柱形に形成したものを用い、この脚部材５の上端にネジ棒５ａ（図２（ｄ）参照）が埋め込まれ、図３（ｃ）、（ｄ）に示すように、このネジ棒５ａを十字形桟材３の各桟材３ａ、３ｂ、３ｃ、３ｄの端部付近に固定した埋込みナット８Ａ、８Ａ…にねじ込むことにより、各脚部材５、５…を着脱自在に固定可能な構成としている。
【００２８】
また、豆炭用燃焼器６は、図３（ｂ）に示すようにやぐら本体４を展開した状態で、図３(ｃ)に示すように十字形桟材３に固定された埋込みナット８Ｂ、８Ｂ…に枠板１３を介して燃焼器６の周辺をボルト９、９…で締結する構成とされ、このように枠板１３を介して燃焼器６を固定することによってやぐら本体４は展開した平面形状を固定状態に保持することが可能となる。なお、枠板１３は合板等を用いて四角形の枠形状に形成したもので、その四方角部に形成したネジ穴１３ａ、１３ａ…の形成位置が十字形桟材３の中央の四方に固定した埋込みナット８Ｂ、８Ｂ…に対応して設けられたものである。
【００２９】
なお、この燃焼器６は、図５に示すように、網状又は格子状等の多数の通気孔を形成したことによって通気性を良好とする金属筐体６ｂを形成し、この筐体６ｂの表面全体に断熱性の植毛を施すことによって肌触りが良好で温度上昇を抑えることが可能な構成されている。また、燃焼器６の一側面に設けられた開閉可能な蓋板６ｃを開けることによって、その内部に燃焼器中具１２を収納し、図４に示すように蓋板６ｃを閉じることによって燃焼器中具１２を燃焼器６の外方から触れることができないようにして安全性を図るようにしている。
【００３０】
なお、この燃焼器中具１２は、図５に示すように、本体部１２ａに対して上蓋部１２ｂが開閉自在に設けられ、上蓋部１２ｂを開けることによって着火した複数の豆炭（不図示）を収納し、上蓋部１２ｂを閉じてロック金具１２ｃによりロックした状態にして、燃焼器６の内部に収容する。
【００３１】
上記の構成からなる折畳み式豆炭コタツ１を組み立てるには、図２（ａ）に示すようにやぐら本体４を折畳んだ状態から、図２(ｃ)に示すようにやぐら本体４を展開して、このやぐら本体４の裏側を上方向きにして、図３（ａ）に示すように枠板１３の四方のネジ穴１３ａ、１３ａ…を十字形桟材３の四方の埋込みナット８Ｂ、８Ｂ…に位置合わせした状態にセットする。
【００３２】
次いで、図３（ｂ）に示すように、熱の反射効率を良くするために、枠板１３に金属製薄板等による反射板１４を載置し、図３(ｃ)に示すように燃焼器６を取り付ける。この燃焼器６の取付け方法は、燃焼器６の周辺に形成されたネジ穴６ａ、６ａ…にボルト９、９…を挿通して、各ボルト９を十字形桟材３の四方に固定された埋込みナット８Ｂ、８Ｂ…に締結することによって固定する。
【００３３】
さらに、図３（ｃ）、（ｄ）に示すように、やぐら本体４の十字形桟材３の各端部の埋込みナット８Ａ、８Ａ…に脚部材５の棒ネジ５ａ（図２（ｄ）参照）をねじ込んで固定する。このような作業の後に、図３(ｄ)のように裏面を上方に向けたやぐら本体４の天地を逆転して、図４に示す状態とする。
【００３４】
次いで、図６に示すように、やぐら本体４の上部にコタツ掛け布団１５を掛け、このコタツ掛け布団１５の上部に展開したコタツ用天板７を載置する。なお、燃焼器６を使用する場合は、コタツ掛け布団１５の周囲を一部捲り上げ、図５に示すように燃焼器６の蓋板６ｃを開けて着火した複数の豆炭を収容した燃焼器中具１２を燃焼器６の内部に収納して、図４のように蓋体を閉じ、図６のようにコタツ掛け布団１５を元の状態に戻すことによって使用可能となる。
【産業上の利用可能性】
【００３５】
本発明の折畳み式豆炭コタツによれば、豆炭コタツの天板構造を折り畳み可能に構成することによって、コンパクトに折り畳んだ状態で収納、保管又は運搬することができ、しかも軽量であって容易に組み立てることが可能であり、さらには使用上の安全性をも確保することができる折り畳み式豆炭コタツとして利用することが可能となる。
【図面の簡単な説明】
【００３６】
【図１】本発明の折畳み式豆炭コタツのやぐら本体とその上方に設けるやぐら用天板の斜視図である。
【図２】（ａ）はやぐら本体を折り畳んだ状態を示す裏面図であり、（ｂ）はやぐら本体を折り畳んだ状態を示す側面図であり、（ｃ）はやぐら本体の展開状態を示す裏面図であり、（ｄ）は４本の脚部材の側面図である。
【図３】（ａ）〜（ｄ）は本発明の折畳み式豆炭コタツの組み立て手順を示すやぐら本体の裏面図であり、（ｃ）と（ｄ）は斜視図で示す。
【図４】本発明の折畳み式豆炭コタツのやぐら本体の下部に燃焼器を取付けた状態を示す側面図である。
【図５】本発明の折畳み式豆炭コタツにおける燃焼器の蓋板を開けた状態を示す部分斜視図である。
【図６】本発明の折畳み式豆炭コタツの全体斜視図である。
【符号の説明】
【００３７】
１  折畳み式豆炭コタツ
２  やぐら用天板
２ａ、２ｂ  分割されたやぐら用天板
３  十字形桟材
３ａ、３ｂ、３ｃ、３ｄ  各桟材
４  やぐら本体
５  脚部材
５ａ  ネジ棒
６  燃焼器
６ａ  ネジ穴
６ｂ  筐体
６ｃ  蓋板
７  コタツ用天板
７ａ、７ｂ  分割されたコタツ用天板
８Ａ  埋込みナット
８Ｂ  埋込みナット
９  ボルト
１０  蝶番
１１  蝶番
１２  燃焼器中具
１２ａ  本体部
１２ｂ  上蓋部
１２ｃ  ロック金具
１３  枠板
１３ａ  ネジ穴
１４  反射板
１５  コタツ掛け布団
【図１】
2009192106.tif 000003
【図２】
2009192106.tif 000004
【図３】
2009192106.tif 000005
【図４】
2009192106.tif 000006
【図５】
2009192106.tif 000007
【図６】
2009192106.tif 000008